(57)【要約】【課題】隙間から音、光が漏れることがなく、空調効果が高く、外観にも優れ、確実に引戸を閉止位置に静止させる操作を不要として操作性に優れる引戸装置を提供する。【解決手段】引戸に取付けた支持軸をガイドレールのガイド部が誘導することにより、前記引戸が開口部を塞ぐ閉止位置と開口部に隣接する壁に対面する開口位置の間を水平移動する引戸装置において、前記ガイド部は、前記壁に平行方向の直行部と平面視で該直行部に対し斜めを向いてこれに連続しかつ閉止位置における引戸の支持軸がその終点に位置する斜行部とからなり、前記斜行部に、前記支持軸を終点に向け付勢することにより引戸を閉止位置に向け付勢する開き止め手段を設ける。【選択図】  図６
2005048363.tif 000002
【特許請求の範囲】
【請求項１】
引戸に取付けた支持軸をガイドレールのガイド部が誘導することにより、前記引戸が開口部を塞ぐ閉止位置と開口部に隣接する壁に対面する開口位置の間を水平移動する引戸装置において、
前記ガイド部は、前記壁に平行方向の直行部と平面視で該直行部に対し斜めを向いてこれに連続しかつ閉止位置における引戸の支持軸がその終点に位置する斜行部とからなり、
前記斜行部に、前記支持軸を終点に向け付勢することにより引戸を閉止位置に向け付勢する開き止め手段を設けたことを特徴とする引戸装置。
【請求項２】
前記開き止め手段は、直行部と斜行部とが挟む内側で枢支され、かつ直行部に続く斜行部の始点と斜行部の終点の間を回転可能な腕状の基体と、この基体を終点に向け付勢する付勢手段とからなり、
前記基体が前記支持軸を拘束することにより支持軸を終点に向け付勢することを特徴とする請求項１記載の引戸装置。
【請求項３】
前記基体は、前記始点よりも終点に近い第１の固定軸に枢支されるとともに長手方向に向く長孔部を有し、かつ該長孔部は前記始点においてガイド部の直行部に向い開口する出入口を具え、
前記支持軸は、斜行部の始点おいて前記基体の出入口から長孔部に出入し、かつ前記終点に近い斜行部内に位置する支持軸は前記出入口より第１の固定軸に近い長孔部内に移動することにより基体に拘束されることを特徴とする請求項２記載の引戸装置。
【請求項４】
前記付勢手段は、後端が始点と終点の中間に位置する基体の延長線上の第２の固定軸に枢支されるとともに前端を前記基体の先端に回転可能に連結し、かつ前記前端を前方に押出す押圧装置からなり、前記延長線よりも終点側に位置する基体を前記押圧装置が終点に向け押圧することにより該基体に拘束された支持軸を終点に向け付勢することを特徴とする請求項２又は３記載の引戸装置。
【発明の詳細な説明】
【０００１】
【発明の属する技術分野】
本発明は、引戸に設けた支持軸をガイドレールが誘導することにより、前記引戸が開口部を塞ぐ閉止位置と、開口部に隣接する壁に対面する開口位置の間を水平移動する引戸装置に関する。
【０００２】
【従来の技術】
従来、図８に示すように、建築の開口部を開閉するために採用されている引戸ｅは、壁部ａの開口部ｂ側部に形成された凹所ｃと開口部ｂとの間を、レールｄに案内されて前記壁部ａに沿って移動し、開口部ｂを開閉している。
【０００３】
しかし、凹所ｃのため壁部ａが厚みを減じ、遮音性を損なうとともに外観を損なうという課題があり、また建築工事の際複雑な造作を必要とした。
【０００４】
そこで、図９に示すように、壁部ａ表面に上レールｄを取付けるとともに引戸ｅが開口部ｂで開口出入方向に移動するための滑子ｆが格納される滑子格納部ｇを形成することにより、引戸ｅが、開口部ｂに隣接する壁部に対面する開口位置と、開口部ｂに対面する位置から開口部ｂの出入方向にスライドした該開口部ｂを塞ぐ閉止位置との間の水平移動を可能とする引戸構造が提案されている。
（例えば特許文献１）。
【０００５】
【特許文献１】
特開２００２−２２０９６５号公報（第１、５図）
【０００６】
【発明が解決しようとする課題】
しかしながら、前記提案の引戸構造は、閉止位置に向けた引戸ｅの移動操作の際、移動端における反動で引戸ｅが少し押戻されて閉止位置から少し開いた位置に迄移動し、隙間から音、光が漏れ、空調効果が損なわれ、かつ外観上好ましくないことが判明した。またこれを防止するためには、確実に引戸ｅを閉止位置に静止させる操作を必要とし、操作性に劣るものであった。
【０００７】
本発明は、以上のような問題点に鑑み案出なされたもので、引戸が閉止位置を確実に維持することにより、音、光が漏れることがないとともに空調効果を維持でき、しかも操作性の高い引戸装置の提供を目的としている。
【０００８】
【課題を解決するための手段】
本発明は、引戸に取付けた支持軸をガイドレールのガイド部が誘導することにより、前記引戸が開口部を塞ぐ閉止位置と開口部に隣接する壁に対面する開口位置の間を水平移動する引戸装置において、前記ガイド部は、前記壁に平行方向の直行部と平面視で該直行部に対し斜めを向いてこれに連続しかつ閉止位置における引戸の支持軸がその終点に位置する斜行部とからなり、前記斜行部に、前記支持軸を終点に向け付勢することにより引戸を閉止位置に向け付勢する開き止め手段を設けたことを特徴とする。
【０００９】
これにより、付勢された閉止位置の引戸は、閉止位置に向けた移動の際の閉止端で反動を受けても隙間を生じることがなく、音、光が確実に遮断されるとともに空調が有効に作用する。また引戸の閉止位置への移動の操作性が高まる。
【００１０】
【発明の実施の形態】
以下本発明の実施の一形態を図面に基づき説明する。本発明の引戸装置１は、図１、２、３に示すように、支持軸３を取付けた引戸２と、ガイド部５を有するガイドレール４を具え、前記ガイド部５が支持軸３を誘導することにより、前記引戸２は開口部６を塞ぐ閉止位置７と、開口部６に隣接する壁８に対面する開口位置９の間を水平移動する。
【００１１】
前記ガイドレール４は、図４〜６に示すように、水平な筒状の基体３８と、この基体３８を移動する移動部２２とからなり、前記基体３８は、下方に開口する溝部２３と、ガイド板２４とを具える。このガイド板２４は、引戸２の幅寸法よりも少し短い間隔で、長手方向に縦列した２個のスリット状のガイド部５を具え、このガイド部５は壁８に平行方向の直行部１０と、この直行部１０に連続し、該直行部１０から開口部６に漸次近づき、直行部１０に対し平面視で斜めを向く斜行部１１を有する。さらに本実施形態では、斜行部１１は平面視湾曲状に形成されている。
【００１２】
前記移動部２２は、第１の移動部２２Ａと、第２の移動部２２Ｂとからなり、第１の移動部２２Ａは基台２５とその両側に各々２個の第１の車輪２６Ａとを具え、第１の車輪２６Ａが前記基体３８の走路２６上を走行することにより、移動部２２は基体３８内を長手方向に移動する。前記第２の移動部２２Ｂは計４個の第２の車輪２６Ｂを具え、前記第１の移動部２２Ａの基台２５上を前記長手方向に直行する方向に移動する。
【００１３】
前記第２の移動部２２Ｂから垂下形成された支持軸３は、前記第１の移動部２２Ａの基台２５に形成された前記長手方向に直行する長孔２７と、前記ガイド部５を貫挿して下方に延び、その下端を引戸２の上部に形成された取付孔２８に嵌合固定することにより引戸２に取付けている。前記基体３８内に２個設けられた移動部２２の各々の支持軸３は、前記２個のガイド部５にそれぞれ貫挿し、引戸２の前後部に取付けられている。これにより、図３に示すように、ガイドレール４に支持された引戸２は、壁８に対面する開口位置９と、該開口位置９から壁８に沿って移動するとともに、前記支持軸３がガイド部５の斜行部１１内を移動することにより、閉止位置７との間を水平移動する。また閉止位置７における引戸２の支持軸３は、前記ガイド部５の斜行部１１の終点１４に位置する。
【００１４】
本明細書における閉止位置７とは、開口部６に対面する位置から開口部６の出入方向にスライドした該開口部６を塞ぐ引戸２の位置を言う。図３において、閉止位置７、開口位置９における引戸２を各々２Ａ、２Ｂで示す。また閉止位置７における引戸２の少なくとも一部は、壁８の延長線上の内部に位置する。
【００１５】
前記ガイドレール４は、図４に示すように、壁８に形成された溝２９に嵌合するとともに、前記基体３８の上部から立ち上がる取付片３０を固着具３１により胴縁３２に固定して取付けられ、また開口部６の上部においては、図５に示すように、前記取付片３０が壁８を構成する垂れ壁３３の胴縁３３ａに固定されるとともに鍔３４が前記胴縁３３ａと開口上枠３５間で挟着され、強固に取付けられている。
【００１６】
本発明の引戸装置１は、図６、７に示すように、前記ガイド部５の斜行部１１に、前記支持軸３を終点１４に向け付勢することにより引戸２を閉止位置７に向け付勢する開き止め手段１２を設け、該開き止め手段１２は、腕状の基体１５と付勢手段１６とからなる。
【００１７】
前記基体１５は、基板３６とこの基板３６から立ち上がるリブ３７とを具え、前記基板３６を、前記直行部１０と、平面視で直行部１０に対し斜めを向く斜行部１１とが挟む内側、即ち平面視で直行部１０と斜行部１１が成す曲がり形状の内側で、前記ガイド板２４に設けた第１の固定軸２０に枢支することにより、基体１５は斜行部１１の両端となる直行部１０に連続する始点１３と終点１４の間を回転可能に取付けられる。また基体１５は、その始点１３側でガイド板２４に設けた阻止片３９に当接し、始点１３を越えた回転が阻止される。
【００１８】
前記付勢手段１６は、圧縮バネ４０を内臓したシリンダ４１と、シリンダ４１内に摺動可能に設けられ、かつ前記圧縮バネ４０により前方、即ち突出方向に付勢されたロッド４２を具えた押圧装置１９からなる。該シリンダ４１の後端は、平面視で直行部１０と斜行部１１が成す曲がり形状の外側で、前記ガイド板２４に設けた第２の固定軸２１に枢支され、ロッド４２の前端は基体１５の先端に設けた連結軸４３に回転可能に固定される。このように押圧装置１９は、図７（Ｂ）に示すように、その後端が始点１３と終点１４の中間に位置する基体１５の延長線４４上の第２の固定軸２１に枢支されるので、この延長線４４よりも終点１４に近い基体１５に対しては、連結軸４３に連結したロッド４２が圧縮バネ４０の力により終点１４側に付勢する。また逆に延長線４４よりも始点１３に近い基体１５に対しては、ロッド４２が始点１３側に付勢する。
【００１９】
また前記基体１５には、基板３６を切欠することにより、長手方向に向く長孔部１７を設け、この長孔部１７は、その側部のリブ３７の一部を切欠することにより基体１５が前記始点１３において直行部１０に向い開口する出入口１８を有する。また、前記第１の固定軸２０は、斜行部１１の始点１３よりも終点１４に近い位置に形成されている。
【００２０】
然して、図７（Ａ）に示すように、引戸２が開口位置９から閉止位置７に向け水平移動する際、この引戸２に取付けた支持軸３は、ガイド部５の直行部１０を斜行部１１の始点１３に向けて移動した後、前記押圧装置１９により付勢されると共に前記阻止片３９に当接することによりガイド部５の始点１３で待機する基体１５の出入口１８から長孔部１７内に進入する。
【００２１】
次いで、閉止位置７に向けて操作されることにより移動する引戸２の動きに連動してガイド部５の斜行部１１を終点１４に向けて移動する支持軸３が、前記長孔部１７の内周を押圧することにより、基体１５は前記押圧装置１９の付勢に抗して終点１４に向けて回転する。また前記第１の固定軸２０は、斜行部１１の始点１３よりも終点１４に近い位置に形成されているため、前記回転に伴い、支持軸３は斜行部１１の誘導により、図７（Ａ）に示す出入口１８の回転軌跡４５の内側に移動する。これにより前記支持軸３は前記長孔部１７内を前記出入口１８よりも第１の固定軸２０に近い長孔部１７内に移動し、長孔部１７内で両側の前記リブ３７に挟まれた位置で基体１５に拘束される。
【００２２】
次いで、支持軸３及び基体が終点１４に向って移動することにより、図７（Ｂ）に示すように、前記第１の固定軸２０と第２の固定軸２１を結ぶ前記延長線４４上に至り、さらにこれを越えて、前記延長線４４よりも終点１４側に位置する基体１５に対しては、前記押圧装置１９のロッドが終点１４に向け付勢する。従って基体１５に拘束された支持軸３は終点１４に向け付勢され、これにより引戸２は閉止位置７に向け付勢される。このように、基体１５及びこれに拘束された支持軸３が前記延長線４４を越えた後は、引戸２の移動の慣性と押圧装置１９の付勢により引戸２が確実に閉止位置７に至るので最終閉止位置７まで引戸２を閉める操作を必要とせず、操作性が良い。
【００２３】
また、図７（Ｃ）に示すように、ガイド部５の終点１４に位置する支持軸３は、前記押圧装置１９により終点１４に至る方向に向け付勢された基体１５に拘束され、該支持軸３は終点に至る方向に向け付勢されることにより、引戸２は閉止位置７に至る方向に向け付勢され、従って閉止位置７迄移動した引戸２は、移動端における反動を受けても閉止位置７から開くことはない。これにより隙間から音が漏れて遮音性を損なうことがなく、光が漏れることもない。さらには空調効果が高まり、外観にも優れる。また前記開き止め手段１２が移動端での反動による引戸２の隙間発生を自動的に防止するため、確実に引戸２を閉止位置７に静止させる操作を不要とし、操作性に優れる。
【００２４】
また、閉止位置７にある引戸２を開く際には、引戸２をガイド部５の斜行部１１に沿って開く操作を行うことにより、支持軸３が終点１４に位置するの基体１５を前記押圧装置１９の付勢に抗して始点１３に向け回転し、図７（Ｂ）に示すように、前記第１の固定軸２０と第２の固定軸２１を結ぶ前記延長線４４上に至り、さらにこれを越えて、延長線４４よりも始点１３側に至ると、押圧装置１９が基体１５及びこれに拘束された支持軸３を始点１３に向け付勢するので、引戸２の移動が付勢される。図７（Ａ）に示すように、始点１３まで回転した基体１５は、阻止片３９に当接することにより停止し、長孔部１７に拘束されていた支持軸３は前記出入口１８から基体１５の外に抜け出し、ガイド部５の直行部１０に移動し、引戸２を開口位置９に向け誘導する。
【００２５】
前記開き止め手段１２は、本実施形態では、縦列した２個のガイド部５の一方に設けているが、双方のガイド部５に設けることもでき、この場合には、双方の基体１５の回転の同期を図るためリンクで連係することが好ましい。
【００２６】
【発明の効果】
上述したように、本発明は、引戸に取付けた支持軸をガイドレールのガイド部が誘導することにより、前記引戸が開口部を塞ぐ閉止位置と開口部に隣接する壁に対面する開口位置の間を水平移動する引戸装置において、前記ガイド部は、前記壁に平行方向の直行部と平面視で該直行部に対し斜めを向いてこれに連続しかつ閉止位置における引戸の支持軸がその終点に位置する斜行部とからなり、前記斜行部に、前記支持軸を終点に向け付勢することにより引戸を閉止位置に向け付勢する開き止め手段を設けたことを特徴とするので、引戸が移動端における反動を受けても閉止位置から開くことはない。従って隙間から音が漏れて遮音性を損なうことがなく、光が漏れることもない。さらには空調効果が高まり、外観にも優れ、また前記開き止め手段が移動端での反動による引戸の隙間発生を自動的に防止するため、確実に引戸を閉止位置に静止させる操作を不要とし、操作性に優れる。
【図面の簡単な説明】
【図１】本発明の一実施の形態を例示する正面図である。
【図２】その斜視図である。
【図３】図１のＡ−Ａ断面図である。
【図４】図１のＢ−Ｂ断面図である。
【図５】図１のＣ−Ｃ断面図である。
【図６】ガイドレール及び開き止め手段を例示する斜視図である。
【図７】（Ａ）〜（Ｃ）は、開き止め手段の動作を示す平面図である。
【図８】従来例を示す概略図である。
【図９】異なる従来例を示す斜視図である。
【符号の説明】
１      引戸装置
２      引戸
３      支持軸
４      ガイドレール
５      ガイド部
６      開口部
７      閉止位置
８      壁
９      開口位置
１０      直行部
１１      斜行部
１２      開き止め手段
１３      始点
１４      終点
１５      基体
１６      付勢手段
１７      長孔部
１８      出入口
１９      押圧装置
２０      第１の固定軸
２１      第２の固定軸
【図１】
2005048363.tif 000003
【図２】
2005048363.tif 000004
【図３】
2005048363.tif 000005
【図４】
2005048363.tif 000006
【図５】
2005048363.tif 000007
【図６】
2005048363.tif 000008
【図７】
2005048363.tif 000009
【図８】
2005048363.tif 000010
【図９】
2005048363.tif 000011